(57)【要約】【課題】安価でトイレ装置から発生する騒音を低減させ、よりトイレタイムを快適にするトイレ装置を提供することにある。【解決手段】便器１上に設置し、音声等を出力する複数のスピーカを内蔵したトイレ装置本体Ａにおいて、トイレ装置本体の下面中央部に便器内に向けて開口した吸気口８とトイレ装置本体の背面に開口した排気口１０を設け、トイレ装置本体に脱臭用ファン１１を内蔵し、吸気口８と脱臭用ファンの吸込み口１２とをダクト１３により連通し、脱臭剤１４をダクト内または脱臭用ファンの吹出し口１５側に設け、脱臭用ファンの吹出し口１５は鉛直下向きに配設し、排気口に遮蔽板１７を設けることで脱臭用ファンからの吹出し気流１６が排気口１０へ向くように構成したものである。【選択図】図１
2006138115.tif 000002
【特許請求の範囲】
【請求項１】
便器上に設置し、音声や音楽等を出力する複数のスピーカを内蔵したトイレ装置本体において、前記トイレ装置本体の下面中央部に便器内に向けて開口した吸気口と前記トイレ装置本体の背面に開口した排気口を設け、前記トイレ装置本体に脱臭用ファンを内蔵し、前記吸気口と前記脱臭用ファンの吸込み口とをダクトにより連通し、脱臭剤を前記ダクト内または前記脱臭用ファンの吹出し口側に設け、前記脱臭用ファンの吹出し口は鉛直下向きに配設し、前記排気口上手側に遮蔽板を設けることで前記脱臭用ファンからの吹出し気流が前記排気口へ向くように構成したトイレ装置。
【請求項２】
便器上に設置し、音声や音楽等を出力するスピーカを複数個内蔵したトイレ装置において、前記トイレ装置の下面略中央部に、便器内に向けて開口した吸気口と、前記トイレ装置本体の背面に開口した排気口を設け、前記トイレ装置本体に前側へ傾斜させて脱臭用ファンを内蔵し、前記吸気口と前記脱臭用ファンの吸込み口とをダクトにより連通し、脱臭剤を前記ダクト内もしくは前記脱臭用ファンの吹出し口側に設け、前記脱臭用ファンの吹出し口は水平面に対して排気口方向へと傾斜するように配設し、前記排気口の上手側に遮蔽板を設けることで前記脱臭用ファンからの吹出し気流が前記排気口へ向くように構成したトイレ装置。
【請求項３】
遮蔽板はトイレ装置本体の外郭と一体に構成した請求項１または請求項２に記載のトイレ装置。
【請求項４】
遮蔽板は吸音材を貼り付けてなる請求項１〜３のいずれか１項に記載のトイレ装置。
【請求項５】
便器上に設置し、音声や音楽等を出力する複数のスピーカを両側に内蔵したトイレ装置本体において、前記トイレ装置本体の下面中央部に便器内へ向けて開口した吸気口と前記トイレ装置本体の背面に開口した排気口を設け、前記吸気口と前記排気口とをダクトにより連通し、前記ダクトに脱臭用ファンおよび脱臭剤を内設し、前記脱臭用ファンの吹出し口は鉛直下向きに配設し、前記ダクトにより前記脱臭用ファンからの吹出し気流が前記排気口へ向くように構成したトイレ装置。
【発明の詳細な説明】
【技術分野】
【０００１】
本発明は、快適に用便を行えるトイレ装置に関するものである。
【背景技術】
【０００２】
従来、快適に用便をしたいとの要求に答えるべく、楽器の音や自然の音、人の声等の音声をスピーカから出力し、快適なトイレタイムを提供するトイレ用音響装置が提案されている（例えば、特許文献１、２参照）。こういったトイレ用音響装置によれば、トイレ使用者の入退室を検知して音声をスピーカより出力するため、落ち着いた気分で用便を行うことができる。
【特許文献１】特開平９−１２５４９２号公報
【特許文献２】特開２００３−１７６５５９号公報（図５）
【発明の開示】
【発明が解決しようとする課題】
【０００３】
一般的に、より臨場感のある音声を出力しトイレタイムを快適にするためにはステレオ音響が必須であり、少なくとも２個のスピーカが必要となる。トイレ用音響装置は、図５に示すように便器５１の後端に設置し、用便後の人体の局部を洗う局部洗浄手段５２を備えたトイレ装置の本体５３に内蔵しようとする場合、トイレ装置の正面は汚水や便器清掃時の洗浄水が入り込みやすいため、スピーカは左右側面側に設けられるのが一般的である。図中、５４は便座、５５は便蓋、５６は脱臭用脱臭用ファンとともに脱臭機能をなす脱臭剤である。
【０００４】
一方、一般的なトイレ装置にはトイレ空間内を脱臭する装置も付加されており、通常、脱臭装置は使用者を検知すると同時に作動し、用便中も作動し続ける。この脱臭装置の脱臭用ファンとしては、安価であることと、脱臭用ファンの一次側もしくは二次側に脱臭材が設置されるため圧力損失に強い必要性から、一般的にシロッコ脱臭用ファンが使用される。そして、シロッコ脱臭用ファンは吸込み方向と吹出し方向との角度が９０度であり、脱臭用ファンとしては効率よく臭いを吸引するため、吸込み口を便器の略中央方向へ向ける必要がある。
【０００５】
しかし、トイレ装置としては背面に吹出し口を向けるには脱臭用ファンを水平に設置し、吸込み口を鉛直方向になるように配置する、もしくは９０度に屈曲した大きなダクトを構成しなければならない。しかしながら、一般的に便器は便器の後端がトイレルームの壁面に隣接するように設置されるため、トイレ装置は、その設置スペースが便器上方の便器穴の後端付近から便器の後端までといった限定された空間内であり、従ってトイレ装置の容積も限られたものとなる。
【０００６】
通常、トイレ装置は本来の機能から中央部に局部洗浄手段が配置されているため、脱臭用ファンは側面側に配置せざるを得なくなるとともに、さらに上記したトイレ用音響装置におけるスピーカの設置を考慮すると、上記のような脱臭用ファンの水平方向の配置もしくは大きなダクトの採用は困難であり、また仮に実現できたとしても吸込み力の低い外形の小さな脱臭用ファンを採用せざるを得ず、脱臭性能は低下する。
【０００７】
さらに、トイレ装置の脱臭機能における一般的な排気口には、ルーバまたはメッシュ等が設置され、このルーバまたはメッシュ等の障害物に脱臭用ファンから送られる空気が衝突することで風切音が生じるが、特に脱臭用ファンを水平に配置した場合では、その吹出し口とトイレ装置本体の排気口との距離が短いことから脱臭用ファンらの気流のエネルギーが減衰する前に上記障害物に衝突し、風切音が大変大きくなる。
【０００８】
一方、トイレ装置の脱臭機能における吸気口はトイレ装置本体の正面に向け、排気口を側面に向けるように配置すると、トイレ装置内の奥行き方向のスペース的な問題は解決されるが、脱臭用ファンの吹出し口とトイレ装置の側面の排気口との距離が近いために前者と同様の理由から風切音が生じやすく、かつトイレ用音響装置におけるスピーカと排気口が同じ側面部に配置されるためにスピーカから出力される音声と干渉し、せっかくの快適さが損なわれるのであった。
【０００９】
また、比較的小型で大風量が得られるプロペラ式の脱臭用ファンを用いればトイレ装置内での配置スペースの問題は解決されるが、プロペラ式の脱臭用ファンは圧力損失に弱く脱臭剤に臭いを通気させるには不利であり、さらにシロッコファンに比べ高価である。
【００１０】
上記従来の問題点に鑑み、本発明が解決しようとする課題は、安価でトイレ装置から発生する騒音を低減させ、よりトイレタイムを快適にするトイレ装置を提供することにある。
【課題を解決するための手段】
【００１１】
本発明のトイレ装置は上記課題を解決するために、便器上に設置し、音声や音楽等を出力する複数のスピーカを内蔵したトイレ装置本体において、前記トイレ装置本体の下面中央部に便器内へ向けて開口した吸気口とトイレ装置本体の背面に開口した排気口を設け、前記トイレ装置本体に脱臭用ファンを内蔵し、吸気口と脱臭用ファンの吸込み口とをダクトにより連通し、脱臭剤をダクトまたは脱臭用ファンの吹出し口側に設け、脱臭用ファンの吹出し口は鉛直下向きに配設し、前記排気口の上手側には遮蔽板を設けることで脱臭用ファンからの吹出し気流が排気口へ向くように構成したものである。
【００１２】
上記発明によれば、脱臭用ファンを限定された空間であるトイレ装置本体内にスピーカとともに側面側に配置することを可能とした上で、かつ排気口で生じる風切音等の騒音とスピーカから発生する音声との干渉を低減することができる。また、脱臭用ファンによる風切音等の騒音の低減化が図れる。
【発明の効果】
【００１３】
以上のように本発明のトイレ装置は、脱臭性能を維持したまま排気口での風切音を低減でき、かつ風切音等による騒音とスピーカからの音声の干渉を低減することができ、使用者は異臭もなく快適なトイレ空間において、より明瞭な音声を聴きながら落ち着いた気分で用便を行うことができる。
【発明を実施するための最良の形態】
【００１４】
第１の発明は、便器上に設置され、音声や音楽等を出力する複数のスピーカを内蔵したトイレ装置本体において、前記トイレ装置本体の下面中央部に便器内へ向けて開口した吸気口と前記トイレ装置本体の背面に開口した排気口を設け、前記トイレ装置本体に脱臭用ファンを内蔵し、吸気口と前記脱臭用ファンの前記吸込み口とをダクトにより連通し、脱臭剤を前記ダクト内または前記脱臭用ファンの吹出し口側に設け、前記脱臭用ファンの吹出し口は鉛直下向きに配設し、前記排気口の上手側に遮蔽板を設けることで前記脱臭用ファンからの吹出し気流が排気口へ向くように構成したものである。
【００１５】
これにより、限定されたトイレ装置本体の空間内に脱臭用ファンとして効果的な例えばシロッコファンを内蔵することができ、また一般的にトイレ装置本体の側面向きに設置されるスピーカとは異なるトイレ装置本体の背面側に脱臭用ファンの排気口を設けることができるため、排気口で生じる風切音等の騒音とスピーカから発生する音声との干渉を低減することができる。
【００１６】
さらに、脱臭用ファンの吹出し口からの気流は遮蔽板に案内され、その後排気口へと送られる構成のため、脱臭用ファンの吹出し口とルーバまたはメッシュ等を有する排気口との間に十分な距離を確保でき、排気口での風切音等の騒音の低減化が図れ、より明瞭な音声を楽しめる快適なトイレ装置を提供できる。
【００１７】
第２の発明は、便器上に設置し、音声や音楽等を出力する複数のスピーカを内蔵したトイレ装置本体において、前記トイレ装置本体の下面中央部に便器内へ向けて開口した吸気口と前記トイレ装置本体の背面に開口した排気口を設け、前記トイレ装置本体に前側へ傾斜させて脱臭用ファンを内蔵し、前記吸気口と前記脱臭用ファンの吸込み口とをダクトにより連通し、脱臭剤を前記ダクト内または前記脱臭用ファンの吹出し口側に設け、前記脱臭用ファンの吹出し口は水平面に対して前記排気口の方向へと傾斜するように配設し、前記排気口の上手側に遮蔽板を設けることで前記脱臭用ファンからの吹出し気流が排気口へ向くように構成したトイレ装置である。
【００１８】
通常、トイレ装置は便座を取り付ける必要性から、トイレ装置本体の側面部分はトイレ装置本体の前面側ほど高さ方向のスペースが狭くなっているが、本発明では、脱臭用ファンをトイレ装置本体の前側へ傾斜させ鉛直方向の距離を縮めることで脱臭用ファンを、よりトイレ装置本体の前面側に設置することができ、デッドスペースとなりがちなトイレ装置本体の側面部の正面側を使用することにより省スペース化が図れる。さらに脱臭用ファンの吹出し口が排気口方向へと傾斜しているため、よりスムーズな気流となり、圧力損失が低減される。
【００１９】
第３の発明は、特に、第１または第２の発明の遮蔽板をトイレ装置の外郭と一体に構成することにより、部品点数が減り、組み立て性がよく安価に構成することができる。
【００２０】
第４の発明は、特に、第１〜第３の発明のいずれかの発明における遮蔽板に吸音材を貼り付けた構成にすることにより、脱臭用ファンによる騒音の低減が図れ、よりスピーカから出力される音声がはっきりとし、快適なトイレタイムを提供できる。
【００２１】
第５の発明は、便器上に設置し、音声や音楽等を出力する複数のスピーカを両側に内蔵したトイレ装置本体において、前記トイレ装置本体の下面中央部に便器内へ向けて開口した吸気口と前記トイレ装置本体の背面に開口した排気口を設け、前記吸気口と前記排気口とをダクトにより連通し、前記ダクトに脱臭用ファンおよび脱臭剤を内設し、前記脱臭用ファンの吹出し口は鉛直下向きに配設し、前記ダクトにより前記脱臭用ファンからの吹出し気流が前記排気口へ向くように構成したトイレ装置である。
【００２２】
これにより、脱臭用ファンはトイレ装置本体の吸気口と排気口とを連通したダクト内に設けているので、前記脱臭用ファンからの吹出し気流がトイレ装置本体に漏れず、より脱臭性能を向上することができ、また第１および第２の発明の遮蔽板の機能を、例えばダクトが果たすよう脱臭用ファンの二次側を構成することで部品点数が減り、さらに脱臭機能部分を独立した構成とすることができるため、組み立て性がよく安価に構成することができる。
【００２３】
以下本発明の実施の形態について、図面を参照にしながら説明する。なお、本実施の形態によって本発明が限定されるものではない。
【００２４】
（実施の形態１）
図１は、本発明の実施の形態１におけるトイレ装置の要部を断面した側面図で、図２は同トイレ装置の上面図を示す。トイレ装置は便器１の後端部の上面に横長に設置され、かつトイレ装置本体Ａの外郭を構成する横長の本体ケース２と底を成すベースプレート３と、本体ケース２の両側面部に後端を回動自在に取り付けてある便座４とで構成されている。そして、本体ケース２は、その中央部に用便後の使用者の局部を温水で洗浄可能な局部洗浄装置５を備えている。局部洗浄装置５は、便器１の内部１ａに向かって出没する洗浄水を噴出するノズル、洗浄水を加熱するヒータ、前記の出没の機構（いずれも図示せず）等で構成されている。
【００２５】
また、トイレ装置本体Ａには音声出力用のスピーカ６を本体ケース２の左右の側面側に１個ずつ設けたトイレ用音響装置７が内蔵されている。本実施の形態ではスピーカ６を片側に１個ずつ設けたが、出力される音声の臨場感を向上させるために、さらに複数個設置しても良い。トイレ装置本体Ａは、ベースプレート３の下面の略中央部に便器１の内部１ａに向けて開口した吸気口８と本体ケース２背面側に開口し、ルーバ９を有した排気口１０を設けている。ルーバ９はメッシュ等でも良い。
【００２６】
さらに、トイレ装置本体Ａは用便後の臭いを含むトイレルームの臭いを吸引する脱臭用ファン１１を本体ケース２の前面（正面）に向かって右側部に内蔵し、その吸込み口１２と吸気口８とをダクト１３で連通し、ダクト１３内（脱臭用ファン１１の吸込み口１２側である一次側）に脱臭剤１４を設置して脱臭装置を構成している。なお、脱臭剤１４は脱臭用ファン１１の吹出し口１５側である二次側に設けても良い。脱臭用ファン１１の吹出し口１５は鉛直下向きに配設し、吹出し口１５からの気流１６がベースプレート３と衝突する付近（排気口１０の上手側）に気流１６を排気口１０へ比較的に滑らかに向くように案内するため傾斜させた遮蔽板１７をベースプレート３と一体で構成している。
【００２７】
以上の構成により、トイレ装置の脱臭装置を動作させると、脱臭ファン１１の吸引作用で吸気口８より吸い込まれた空気は、図示矢印で示すように気流１６となって脱臭剤１４を通り本体ケース２の背面の排気口１０から清浄化された空気が排出される。そして、トイレ装置本体Ａの限定された本体ケース２の空間内に、脱臭用ファン１１として圧力損失が少ないため脱臭用として効果的で、かつ安価なシロッコファンを、必要な脱臭性能を満たすだけの最大風量を持った大きさでもって、両側のスピーカ６とともにトイレ装置本体Ａの右側面側に内蔵することができる。
【００２８】
さらに、脱臭用ファン１１は吹出し口１５からの風を鉛直下向きに出し、遮蔽板１７によって排気口１０へ案内されるため、脱臭用ファン１１の吹出し口１５とルーバ９を有する排気口１０との間に十分な距離を確保でき、気流１６のエネルギーを低減させ、排気口１０での風切音等の騒音の低減化が図れ、よりスピーカ６からの音声が明瞭なものにできる。そして、前記騒音を低減化させるために、遮蔽板１７に吸音材（図示せず）を貼り付けることもできる。また、排気口１０は、トイレ装置本体Ａの本体ケース２の背面側に開口しているため、トイレ装置本体Ａの左右の側面側から出力されるスピーカ６からの音声との干渉が低減され、かつ使用者とは反対方向に向いているためルーバ９で生じる風切音等の騒音が使用者に聞こえにくく、より明瞭な音声を楽しめる快適なトイレ装置を提供できる。
【００２９】
（実施の形態２）
図３は、本発明の実施の形態２におけるトイレ装置の要部を断面した側面図を示す。本実施の形態は、実施の形態１の発明と、脱臭用ファンの吹出し口を水平面に対して排気口の方向へと傾斜するように構成した点で異なり、それ以外の構成並びに作用効果は同じなので同一部分には図１と同じ符号を付して詳細な説明を省略し、図１も利用して異なるところを中心に説明する。
【００３０】
脱臭用ファン１１ａは、トイレ装置本体Ａの本体ケース２に内蔵し、吸気口８と脱臭用ファン１１の吸込み口１２とをダクト１３により連通し、脱臭剤１４をダクト１３内に設けている。また、脱臭用ファン１１ａは本体ケース２の前側方向に傾斜させることで、その吹出し口１５ａを水平面に対して排気口１０の方向に傾斜するように配設している。さらに、遮蔽板１７ａは吹出し口１５からの気流１６がベースプレート３と衝突する付近に、気流１６を排気口１０へと滑らかに向くよう案内するためベースプレート３と一体に、やや傾斜させて構成している。
【００３１】
以上の構成により、実施の形態１で説明したようにして脱臭用ファン１１ａおよび脱臭剤１４による脱臭作用が行われる。そして、便座４を取り付ける必要性からトイレ装置本体Ａではデッドスペースとなりがちな側面部の正面側にスピーカ６とともに脱臭用ファン１１ａを設置することができ省スペース化が図れる。さらに、脱臭用ファン１１ａの吹出し口１５ａは、排気口１０方向へと傾斜しているため、よりスムーズな気流１６となって圧力損失が低減され脱臭性能が向上する。
【００３２】
なお、本実施の形態で、脱臭用ファン１１ａは吹出し口１５ａを水平面に対して排気口１０の方向に傾斜するように配設するため、本体ケース２の前側方向に傾斜させて設けたが、脱臭用ファンを図１と同じように垂直に配設し、かつ排気口１０に対向する下端部を斜めに切り落として吹出し口１５ａを水平面に対して排気口１０の方向に傾斜するように形成しても良いものである。
【００３３】
（実施の形態３）
図４は、本発明の実施の形態３におけるトイレ装置の要部を断面した側面図を示す。本実施の形態は、実施の形態１の発明と、ダクトに脱臭用ファンおよび脱臭剤を内設した点で異なり、それ以外の構成並びに作用効果は同じなので同一部分には図１と同じ符号を付して詳細な説明を省略し、図１も利用して異なるところを中心に説明する。
【００３４】
脱臭用ファン１１および脱臭剤１４は、吸気口８と排気口１０とを連通すダクト１３ａに内設している。脱臭用ファン１１の吹出し口１５は鉛直下向きに配設している。なお、吹出し口１５は実施の形態２のように水平面に対して排気口１０方向へと傾斜するように配設してもよい。ダクト１３ａは、実施の形態１および２で説明した遮蔽板１７の機能を果たすように脱臭用ファン１１の二次側を構成している。
【００３５】
以上の構成により、実施の形態１で説明したようにして脱臭用ファン１１および脱臭剤１４による脱臭作用が行われる。そして、脱臭用ファン１１はダクト１３内に設けているので、気流１６がトイレ装置本体Ａ内に漏れないため脱臭性能を向上することができ、かつ実施の形態１および２で説明した遮蔽板１７の機能をダクト１３が果たし、かつ脱臭用ファン１１の二次側を構成しているので、脱臭機能部分を独立した構成とすることができ、組み立て性がよく安価に構成することができる。
【産業上の利用可能性】
【００３６】
以上のように、本発明にかかるトイレ装置は、異臭もなく快適なトイレ空間において、より明瞭な音声を聴きながら落ち着いた気分で用便を行うことができるので、温水洗浄便座に利用可能である。
【図面の簡単な説明】
【００３７】
【図１】本発明の実施の形態１におけるトイレ装置の要部を断面した側面図
【図２】同実施の形態１におけるトイレ装置の上面図
【図３】同実施の形態２におけるトイレ装置の要部を断面した側面図
【図４】同実施の形態３におけるトイレ装置の要部を断面した側面図
【図５】従来の音響装置付トイレ装置の概略構成図
【符号の説明】
【００３８】
１  便器
２  本体ケース（トイレ装置本体Ａ）
３  ベースプレート（トイレ装置本体Ａ）
６  スピーカ
７  トイレ用音響装置
８  吸気口
１０  排気口
１１、１１ａ  脱臭用ファン
１２  吸込み口
１３、１３ａ  ダクト
１４  脱臭剤
１５、１５ａ  吹出し口
１６  気流
１７、１７ａ  遮蔽板
【図１】
2006138115.tif 000003
【図２】
2006138115.tif 000004
【図３】
2006138115.tif 000005
【図４】
2006138115.tif 000006
【図５】
2006138115.tif 000007